(57)【要約】本発明は、鉛筆キャップ内に収まりかつ大きさが可変の削り屑容器を持つ鉛筆削りに関するものである。内壁、外壁および鉛筆削りのうちの少なくとも１つを移動させることによって、削り屑容器の大きさを変えることができる。本発明のキャップは、適切であれば、いかなる大きさをも有することができるが、好ましくは、キャップの長さは、対応する鉛筆のもともとの長さの少なくとも５０％、または少なくとも７５％である。
2006516011.tif 000002
【特許請求の範囲】
【請求項１】
大きさが可変の削り屑容器を持つ鉛筆削り付きキャップ。
【請求項２】
鉛筆削り付きキャップが実質的に管状の本体を持つ請求項１に記載の鉛筆削り付きキャップ。
【請求項３】
鉛筆削り付きキャップが、鉛筆に鉛筆削り付きキャップを着脱可能に連結する保持機構を有する請求項１に記載の鉛筆削り付きキャップ。
【請求項４】
保持機構が摩擦あるいは圧縮を利用したカラーを有する請求項３に記載の鉛筆削り付きキャップ。
【請求項５】
保持機構がスナップ式の機構を有する請求項３に記載の鉛筆削り付きキャップ。
【請求項６】
削り屑容器が内壁を移動させることによって大きさを増す請求項１に記載の鉛筆削り付きキャップ。
【請求項７】
内壁が鉛筆削りの一部を有する請求項６に記載の鉛筆削り付きキャップ。
【請求項８】
鉛筆および請求項１に記載の鉛筆削り付きキャップを有するキットであって、前記鉛筆削り付きキャップが、前記鉛筆の長さの少なくとも５０％の長さを持つキット。
【請求項９】
鉛筆および請求項１に記載の鉛筆削り付きキャップを有するキットであって、前記鉛筆削り付きキャップが、前記鉛筆の長さの少なくとも７５％の長さを持つキット。
【請求項１０】
鉛筆がもともとの長さである時には、鉛筆削り付きキャップの内腔が鉛筆の前記長さの少なくとも５０％を受けるように、鉛筆が鉛筆削り付きキャップ内に収まる請求項９に記載のキット。
【請求項１１】
鉛筆がもともとの長さである時には、鉛筆削り付きキャップの内腔が鉛筆の前記長さの少なくとも７５％を受けるように、鉛筆が鉛筆削り付きキャップ内に収まる請求項９に記載のキット。
【発明の詳細な説明】
【技術分野】
【０００１】
本発明の技術分野は、鉛筆削り付きキャップに関する。
【背景技術】
【０００２】
鉛筆は長年使われ、広く普及している。一般に、２つのタイプの鉛筆が広く使われており、それらは木製鉛筆およびシャープペンシルである。
【０００３】
木製鉛筆には、いくつかの欠点がある。欠点の１つは、しばしば使用によって先が丸くなることである。別の欠点は、使用中および携帯中に芯が折れやすいことである。また、芯が触って、衣服や手などにこすれることにより汚くなることがあるという欠点もある。さらに、芯が折れた場合、折れた芯を捨てるのは面倒なことである。この点は、鉛筆タイプの化粧品を使う場合、わずらわしさがさらに増す。というのは、化粧用鉛筆の「芯」は、非常に柔らかく、簡単に折れるからである。
【０００４】
これらの欠点の少なくとも一部を克服するために、芯が丸くなった時や折れた時のために芯の尖った木製鉛筆を数本携帯するのも１つの方法である。しかし、複数本の木製鉛筆を携帯するのは非常に不便なことである。その主たる理由は、何本の鉛筆が必要になるかを予測するのは困難だからである。
【０００５】
シャープペンシルを、ある程度は木製鉛筆の代用品として使うことができる。シャープペンシルの芯は非常に細く削る必要が全くないので、シャープペンシルを使うことによって、鉛筆を削る手間が省かれる。しかし、シャープペンシルにも、いくつかの欠点がある。例えば、シャープペンシルでは、画家が絵に影を付ける時には、十分に機能しないのである。
【０００６】
これらの欠点の少なくとも一部を克服する別の方法として、鉛筆削りを持ち歩くことがあげられる。しかし、この解決方法にも、いくつかの点で問題がある。第１に、鉛筆削りを常時持ち歩くことを覚えていなければならない点である。第２に、鉛筆と鉛筆削りの両方を持ち歩かなければならないのは、不便である。特に、空間が限られている時などは、なおさら不便である。さらに、鉛筆を削ると、削り屑が散らかって汚い。とりわけ、鉛筆削りに削り屑を受ける容器が備わっていない場合には、なおさら削り屑が散らかってしまう。
【０００７】
鉛筆の製造業者の中には、これらの欠点のいくつかを克服するねらいで、鉛筆削りが付いた鉛筆を導入している者もある。しかし、これらの鉛筆削り付き鉛筆にも、欠点が残っている。例えば、一部の鉛筆削り付き鉛筆には、削り屑を受ける容器が備わっておらず、鉛筆を削ると、削り屑が散らかって汚れ、時間をとられる。さらに、鉛筆削り付き鉛筆は、鉛筆が削られるにつれ、キャップも含めた鉛筆の長さが短くなる。長い鉛筆を携帯するのは困難である。特に、通常バッグや他の狭い場所に入れて持ち歩く化粧用鉛筆の場合は、なおさらである。
【発明の開示】
【発明が解決しようとする課題】
【０００８】
したがって、依然として、鉛筆削り付き鉛筆の改善が望まれるのである。
【０００９】
本発明は、大きさが可変の削り屑を受ける容器を持つ鉛筆キャップ内に収容された鉛筆削りに関するものである。
【課題を解決するための手段】
【００１０】
好適な実施形態においては、削り屑容器は、鉛筆削りを移動させることによって大きさを増している。また、鉛筆削り付きキャップは、保持機構を含むことができる。この保持機構には、例えばスナップ式の（ｓｎａｐ−ｆｉｔ）機構、あるいは摩擦や圧縮を利用した結合部などがあり、鉛筆削り付きキャップを対応する鉛筆に、着脱可能に連結する働きがある。
【００１１】
本発明のキャップは、適切な大きさであればいかなる大きさであってもよいが、好ましくは対応する鉛筆のもともとの長さの少なくとも５０％、または少なくとも７５％の長さがあるものとする。
【００１２】
本発明の様々な目的、特徴、態様および利点が、本発明の好適な実施形態の詳しい説明からより明らかになるであろう。
【発明を実施するための最良の形態】
【００１３】
図１は、通常、着脱可能に鉛筆２０を受ける鉛筆削り付きキャップ１０を有している。鉛筆削り付きキャップ１０は、通常、鉛筆削り１００と、大きさが可変の削り屑容器２００と、削り屑容器２００の大きさを変えるための機構３００とを有している。
【００１４】
鉛筆２０には、通常、比較的硬い外側の部分と比較的柔らかい中心の部分がある。外側の部分は、柔らかい中心の部分が折れたり、汚れたりするのを防ぐことができるならば、いかなるプラスチック、木、紙または重合体を有してもよい。鉛筆２０の「中心の部分」は、「鉛」筆の芯と呼ばれることがある。しかし、通常の筆記用鉛筆の場合でも、鉛筆の「鉛」は、鉛ではなく、黒鉛を意味している。本明細書では、「中心の部分」には、鉛筆を介して外に出すことが画策されることができる蝋、鉛、黒鉛、可塑性重合体、薬品、薬剤、化粧品などのいかなる材料または化合物をも有することができる。鉛筆２０は、標準的な大きさであってもよいが、標準的な大きさである必要はない。鉛筆の直径は小さくても、大きくてもよい。本発明では、特に、鉛筆２０として、眼、唇などの化粧に用いる化粧用鉛筆が含まれる。
【００１５】
鉛筆削り１００は、通常、ハウジング１１０とカッター１２０を有している。ハウジング１１０は、鉛筆を削る時に、鉛筆を折ったり、押しつぶしたりすることなく、鉛筆２０を適切に保持することが可能な耐久性のある材料であれば、いかなる材料をも有することができる。したがって、本発明では、ハウジング１１０を有する材料には、可塑性物質を含み、硬質ゴムであってもよいであろう。好適な実施形態においては、ハウジング１１０は、鉛筆の直径の大小に合った形状がとれるような大きさおよび寸法を備えている。
【００１６】
本発明では、カッター１２０は、ステンレス、アルミニウム、金属合金、または硬質プラスチック材料すなわち重合体などの耐久性があり、錆びない材料を有する。カッター１２０の位置によって、柔らかい中心の部分を削った後の仕上がり、すなわち尖り具合を変えることができる。一般的に、カッター１２０を垂直の角度から少なくとも４５度傾けると、先端を非常に尖らせることができ、カッター１２０を垂直の角度から２０度より小さい角度だけ傾けると、先端に丸みを残すことができる。本発明では、鉛筆２０の柔らかい中心の部分を押しつぶすのを最小限に留めるように、カッターを配置する。
【００１７】
キャップ１０は、キャップ１０を対応する鉛筆２０に、着脱可能に連結する保持機構を備えている。図１に、スナップ式の（ｓｎａｐ−ｆｉｔ）様式の保持機構が図示されている。この機構では、保持リング１３０がキャップ１０の開口端の付近に位置し、キャップ１０と対応する鉛筆２０との間を締め付け保持している。保持リング１３０の作用は、多くの広く普及しているプラスチック製のペンとそれに対応するキャップと同様の様式で働いている。本発明では、これ以外の保持機構として、図３に示すような摩擦あるいは圧縮を利用したカラーによる機構が含まれる。摩擦あるいは圧縮を利用したカラーによる機構を利用する場合、キャップ１０がほぼ確実に保持されるまでキャップ１０を鉛筆２０にはめて押すようになっている。
【００１８】
さらに、本発明の実施形態には、鉛筆２０および対応する鉛筆削り付きキャップ１０を有するキットを含む。この場合、キャップが鉛筆をカバーした時に、キャップ１０と鉛筆２０とを合わせた長さを、鉛筆を使い削っていっても、ほぼ一定に保つように大きさ及び寸法を備えている。これは、図１および図２に示されている。したがって、鉛筆２０がもともとの長さである時には、鉛筆２０の大部分がキャップ１０の内部にはまっており、鉛筆２０が短くなるにつれ、鉛筆２０のキャップ１０の内部にはまる部分が減少していく。好ましくは、キャップ１０の長さは、対応する鉛筆２０のもともとの長さの少なくとも５０％、または７５％である。見方を変えると、もともとの長さの鉛筆２０がキャップ１０に収まっている状態では、この時の鉛筆２０の長さの少なくとも５０％、または７５％をキャップの内腔が受けることができる。
【００１９】
図２では、鉛筆削り付きキャップ１０内にバイアス形のフラップ１５０が使われており、カッター１２０または削り屑容器２００から削り屑や鉛筆の芯がこぼれ落ちるのを防止している。好ましくは、このバイアス形のフラップ１５０は、鉛筆削り１００の付近または鉛筆削り１００に接して位置する。この場合、鉛筆２０をハウジングに差し込むと、バイアス形のフラップ１５０が開いて鉛筆２０が挿入される。さらに、鉛筆２０を引き出すと、バイアス形のフラップ１５０は、閉じた状態を維持し、削り屑や他のごみがこぼれ落ちるのを防止する働きがある。バイアス形のフラップ１５０が、鉛筆削り上で、鉛筆２０が鉛筆削り１００に挿入される場所に近い所に位置するのが、特に好ましい。この位置なら、キャップから削り屑や他のごみがこぼれ落ちるのを完全に防止することができる。
【００２０】
キャップ１０の閉じている端と鉛筆削り１００の間の空間が、削り屑容器２００となる。削り屑容器２００は、対応する鉛筆２０から出る削り屑の少なくとも一部を保持することができる。好適な実施形態では、削り屑容器２００は、対応する鉛筆２０から出る削り屑を全部保持するようになっている。したがって、削り屑容器２００は、体積として１５〜１００ｃｃ、より好ましくは３０〜６０ｃｃを保持するような大きさおよび寸法を備えることができる。重要なのは、鉛筆２０から出る削り屑を全部保持できるように、削り屑容器２００の最大の大きさを定めることである。
【００２１】
さらに、本発明では、内壁、外壁および鉛筆削り１００のうちの少なくとも１つが移動し、削り屑容器２００の大きさを増減させるようになっている。内壁には、鉛筆削り１００の一部を有することができる。外壁は、鉛筆削り１００に連結し、望遠鏡のごとくスライドして伸縮することができる。削り屑容器２００が動く機構を以下に詳細に述べる。
【００２２】
キャップ１０は、射出成形により製造されることが多く、ほとんどの場合、削り屑容器２００の形がキャップ１０の外側の部分の形とほぼ同一になるように、壁の厚みは概ね均一である。キャップ１０の外側の部分は、取り扱いやすく、かつバッグ、ポケットあるいはブリーフケースなどに入れて携帯に便利な形であれば、実質的に管状あるいは矩形などのいかなる形をも有することができる。好適な実施形態では、キャップ１０は、先端が先細になった実質的に管状の形状をとっている。
【００２３】
ノッチ型（ｎｏｔｃｈ−ｔｙｐｅ）の機構を用いて、削り屑容器２００を移動させることができる。ノッチ型の機構では、鉛筆削り１００を手動で滑らせるようになっており、鉛筆削り１００を、キャップ１０の開口端から遠ざけると削り屑容器２００の大きさが減少し、キャップ１０の下方に移動させると削り屑容器２００の大きさが増加する。図１および図３に、ノッチ型の機構が図示されており、ノッチ１６０が鉛筆削り１００に連結しキャップ１０の外側に延在しているので、キャップ１０の上下方向にこのノッチを手で滑らせて鉛筆削り１００を移動させることができる。
【００２４】
図２では、保持機構３００が、ねじ込み式（ｓｃｒｅｗ−ｔｙｐｅ）機構である。通常、鉛筆削り１００は溝の上に配置されるので、鉛筆削りがねじに沿って移動すると、削り屑容器２００の大きさが増減する。この場合のねじは、ダイヤル式回転作動装置１７０や他のタイプのハンドルをはじめとした既知の機構を用いて回転させることができる。図２では、キャップ１０の先細になった先端に位置する回転作動装置が図示されている。他の実施形態では、これは最良の形態ではないものの、鉛筆を削っている間の鉛筆の回転を、鉛筆削りの動きと連結させ、それによって、鉛筆を削りながら、鉛筆削りはキャップの開口端に向かって移動する。鉛筆を削る動作中の鉛筆削り１００の回転は、鉛筆２０の回転と連結させても、させなくてもよい。
【００２５】
以上、鉛筆削り付きキャップに関する、特定の実施形態および応用例を開示した。しかし、本発明の概念を逸脱することなく、すでに述べた以外にさらに多くの変更形態が可能であることが当業者にとっては明らかであろう。したがって、本発明は、特許請求の範囲の精神以外によって制約を受けることはない。さらに、本明細書および特許請求の範囲の解釈にあたっては、本明細書および特許請求の範囲の文脈に矛盾しない限り、最も広義に解釈するものとする。特に、「有する」および「有し」という用語は、包括的に、要素、成分あるいは方法について言及する場合に使用されており、すなわち、言及された要素、成分あるいは方法は、表立って言及されていない、それら以外の要素、成分あるいは方法と共に、存在または利用することができ、さらにそれら以外の要素、成分あるいは方法と組み合わせることができるものとする。
【図面の簡単な説明】
【００２６】
【図１】鉛筆に連結した鉛筆削り付きキャップの縦断面図である。
【図２】鉛筆削り付きキャップおよび対応する鉛筆の縦断面図である。
【図３】鉛筆に連結した鉛筆削り付きキャップの正面斜視図である。
【図１】
2006516011.tif 000003
【図２】
2006516011.tif 000004
【図３】
2006516011.tif 000005
【手続補正書】
【提出日】平成17年5月18日(2005.5.18)
【手続補正１】
【補正対象書類名】特許請求の範囲
【補正対象項目名】全文
【補正方法】変更
【補正の内容】
【特許請求の範囲】
【請求項１】
鉛筆削り付きキャップにおいて、実質的に一定の外側形状と、鉛筆削りを取り外すことなく、大きさが少なくとも５０％変化する削り屑容器とを持つ鉛筆削り付きキャップ。
【請求項２】
鉛筆削り付きキャップが実質的に管状の本体を持つ請求項１に記載の鉛筆削り付きキャップ。
【請求項３】
鉛筆削り付きキャップが、鉛筆に鉛筆削り付きキャップを着脱可能に連結する保持機構を有する請求項１に記載の鉛筆削り付きキャップ。
【請求項４】
保持機構が摩擦あるいは圧縮を利用したカラーを有する請求項３に記載の鉛筆削り付きキャップ。
【請求項５】
鉛筆および請求項４に記載の鉛筆削り付きキャップを有するキットであって、前記鉛筆削り付きキャップが、前記鉛筆の長さの少なくとも５０％の長さを持つキット。
【請求項６】
鉛筆削り付きキャップが鉛筆の長さの少なくとも７５％の長さを持つ請求項５に記載のキット。
【請求項７】
鉛筆がもともとの長さである時には、鉛筆削り付きキャップの内腔が鉛筆の前記長さの少なくとも５０％を受けるように、鉛筆が鉛筆削り付きキャップ内に収まる請求項６に記載のキット。
【請求項８】
鉛筆がもともとの長さである時には、鉛筆削り付きキャップの内腔が鉛筆の前記長さの少なくとも７５％を受けるように、鉛筆が鉛筆削り付きキャップ内に収まる請求項７に記載のキット。
【請求項９】
実質的に一定の大きさの外側胴部内に位置する削り屑容器と、前記胴部に沿って移動して前記削り屑容器の大きさを変化させるカッター部材とを持つ鉛筆削り付きキャップ。
【請求項１０】
さらにカッターを有し、かつ部材の動きによってカッターを移動させる請求項９に記載の鉛筆削り付きキャップ。
【請求項１１】
さらに鉛筆に鉛筆削り付きキャップを着脱可能に連結する保持機構を有する請求項９に記載の鉛筆削り付きキャップ。
【請求項１２】
保持機構が摩擦あるいは圧縮を利用したカラーを有する請求項１１に記載の鉛筆削り付きキャップ。
【請求項１３】
部材が細長い溝の中を胴部の外側に沿って移動するように配置された請求項９に記載の鉛筆削り付きキャップ。
【請求項１４】
削り屑容器が、鉛筆削りを取り外すことなく、大きさを少なくとも２５％変化させる請求項９に記載の鉛筆削り付きキャップ。
【請求項１５】
鉛筆および請求項９に記載の鉛筆削り付きキャップを有するキットであって、前記鉛筆削り付きキャップが、前記鉛筆の長さの少なくとも５０％を持つキット。
【手続補正書】
【提出日】平成17年9月15日(2005.9.15)
【手続補正１】
【補正対象書類名】特許請求の範囲
【補正対象項目名】全文
【補正方法】変更
【補正の内容】
【特許請求の範囲】
【請求項１】
鉛筆削り付きキャップにおいて、実質的に一定の外側形状と、削り屑容器と、使用者が操作可能な作動装置に結合された鉛筆削りとを持ち、使用者が操作可能な作動装置がキャップの外側表面に位置し、使用者が操作可能な作動装置の動きが鉛筆のない場合の削り屑容器の大きさを変化させる、鉛筆削り付きキャップ。
【請求項２】
鉛筆削り付きキャップが実質的に管状の本体を持つ請求項１に記載の鉛筆削り付きキャップ。
【請求項３】
鉛筆削り付きキャップが、鉛筆に鉛筆削り付きキャップを着脱可能に連結する保持機構を有する請求項１に記載の鉛筆削り付きキャップ。
【請求項４】
保持機構が摩擦あるいは圧縮を利用したカラーを有する請求項３に記載の鉛筆削り付きキャップ。
【請求項５】
鉛筆および請求項４に記載の鉛筆削り付きキャップを有するキットであって、前記鉛筆削り付きキャップが、前記鉛筆の長さの少なくとも５０％の長さを持つキット。
【請求項６】
鉛筆削り付きキャップが鉛筆の長さの少なくとも７５％の長さを持つ請求項５に記載のキット。
【請求項７】
鉛筆がもともとの長さである時には、鉛筆削り付きキャップの内腔が鉛筆の前記長さの少なくとも５０％を受けるように、鉛筆が鉛筆削り付きキャップ内に収まる請求項６に記載のキット。
【請求項８】
鉛筆がもともとの長さである時には、鉛筆削り付きキャップの内腔が鉛筆の前記長さの少なくとも７５％を受けるように、鉛筆が鉛筆削り付きキャップ内に収まる請求項７に記載のキット。
【請求項９】
実質的に一定の大きさの外側胴部内に位置する削り屑容器と、前記胴部に沿って移動して前記削り屑容器の大きさを変化させるカッター部材とを持ち、カッター部材がキャップの内側表面上に位置した複数のノッチを有する移動機構を介して胴部に結合される、鉛筆削り付きキャップ。
【請求項１０】
さらにキャップの外側表面上に位置した使用者が操作可能なノッチを有し、かつ使用者が操作可能なノッチの動きによってカッターを移動させる請求項９に記載の鉛筆削り付きキャップ。
【請求項１１】
さらに鉛筆に鉛筆削り付きキャップを着脱可能に連結する保持機構を有する請求項９に記載の鉛筆削り付きキャップ。
【請求項１２】
保持機構が摩擦あるいは圧縮を利用したカラーを有する請求項１１に記載の鉛筆削り付きキャップ。
【請求項１３】
使用者が操作可能なノッチが細長い溝の中を胴部の外側に沿って移動するように配置された請求項９に記載の鉛筆削り付きキャップ。
【請求項１４】
削り屑容器が、鉛筆削りを取り外すことなく、大きさを少なくとも２５％変化させる請求項９に記載の鉛筆削り付きキャップ。
【請求項１５】
請求項９に記載の鉛筆削り付きキャップ内に配置された鉛筆を有するキットであって、キットが合計の長さを有し、合計の長さが鉛筆の寿命の間鉛筆を使い削っていってもほぼ一定に保たれるキット。
【請求項１６】
削り屑が削り屑容器から抜け出すことを防ぐように適したカッター部材に結合されたバイアス形のフラップをさらに有する、請求項９に記載のキット。
【請求項１７】
使用者が操作可能な作動装置がノッチである、請求項１に記載のキャップ。
【請求項１８】
鉛筆削りが移動するのに適したねじ込み式の機構をさらに有し、使用者が操作可能な作動装置が回転作動装置である、請求項１に記載のキャップ。
【国際調査報告】
2006516011.tif 000006